(57)【要約】      （修正有）【課題】ステムハウジングに取り付けたアタッチメントの倒立時の内容物流入部が、噴射用ガス充填の阻害要因とならないようにし、また双方の取り付け作業の効率化を図る。【解決手段】倒立時の流路となる上方上流側通路部６ｂと正立時の流路となる下方上流側通路部６ｃとを備えたアタッチメント６を、当該上方上流側通路部がハウジング４の縦スリット状部４ｃの真下部分から当該ハウジングの周方向にずれた部分に位置するように取り付けた。ハウジング４とアタッチメント６には、それぞれ周方向位置決め用の係合作用部としての凸状部４ｄと凹状部６ｄとを設けている。【選択図】図１
2014205494.tif 000002
【特許請求の範囲】
【請求項１】
噴射操作に連動して弁作用を呈するステムが配設される筒状のハウジングの下側筒状部に、エアゾール式製品の正立作動および倒立作動のそれぞれに対応する筒状のアタッチメントを取り付け、当該ハウジングに形成した上下方向貫通部からエアゾール容器内部に噴射用ガスが充填される正倒立バルブ機構において、
前記アタッチメントは、
前記下側筒状部に取り付けられる筒状の下流側通路部と、
前記ハウジングへ取り付けたときにその径方向外側に広がる態様で上方に形成されて、当該下流側通路部に連通し、かつ、正立作動時には閉じて倒立作動時には開く態様の弁部材が内部空間域に設けられた上方上流側通路部と、
当該上方上流側通路の下方に形成されて、当該下流側通路部に連通する下方上流側通路部と、を備え、
前記ハウジングおよび前記アタッチメントは、
前記上方上流側通路部が、前記上下方向貫通部の真下部分から当該ハウジングの周方向にずれた部分に位置するように取り付けられている、
ことを特徴とする噴射用ガス充填対応の正倒立バルブ機構。
【請求項２】
前記弁部材は、
ボール弁であり、
前記上方上流側通路部は、
前記筒状の下流側通路部の外周面に一体化され、下端側部分が当該下流側通路部に連通する上方筒状部であり、
前記下方上流側通路部は、
前記下流側通路部および前記上方上流側通路部の下側にそれぞれと連通する態様で形成された下方筒状部である、
ことを特徴とする請求項１記載の噴射用ガス充填対応の正倒立バルブ機構。
【請求項３】
前記ハウジングおよび前記アタッチメントはそれぞれ、
前記上方上流側通路部が、前記上下方向貫通部の真下部分から当該ハウジングの周方向にずれた部分で位置決めされるための係止手段を備えている、
ことを特徴とする請求項１または２記載の噴射用ガス充填対応の正倒立バルブ機構。
【請求項４】
請求項１乃至３の何れかに記載の噴射用ガス充填対応の正倒立バルブ機構を備え、かつ、被噴射内容物および噴射用ガスを収容した、
ことを特徴とするエアゾール式製品。
【発明の詳細な説明】
【技術分野】
【０００１】
本発明は、噴射用ガス充填対応の正倒立バルブ機構に関し、特に噴射操作に連動して弁作用を呈するステムが配設される筒状のハウジングの下側筒状部に、エアゾール式製品の正立作動および倒立作動のそれぞれに対応する筒状のアタッチメントを取り付け、当該ハウジングに形成した上下方向貫通部からエアゾール容器内部に噴射用ガスが高速充填される正倒立バルブ機構に関する。
【０００２】
ハウジングの上下方向貫通部からエアゾール容器内部に高速充填される噴射用ガスの強流状態を確保して被噴射内容物の攪拌を効率的におこなう正倒立バルブ機構である。
【０００３】
また、エアゾール容器内部に充填される噴射用ガスの作用で、例えば粉状被噴射内容物などが、倒立作動時の被噴射内容物の流入通路部（正立状態における上開口流入通路部）に送りこまれてその中のボール弁の近くなどに詰まる、ことのないようにした正倒立バルブ機構である。
【０００４】
なお、本明細書での「上」，「下」はエアゾール式製品の正立状態における位置関係を示し、「上流」，「下流」は被噴射内容物の流れに対する位置関係を示している。
【背景技術】
【０００５】
従来、倒立作動時の被噴射内容物の流入通路部（正立状態における上開口流入通路部）を設けた正倒立作動タイプのバルブ機構が提案されている（特許文献１参照）。
【０００６】
この正倒立作動タイプのバルブ機構の場合、倒立作動時の被噴射内容物の流入通路部が、噴射用ガス高速充填用の上下方向貫通部を備えたハウジングの径方向外側に形成されている。
【０００７】
すなわち、倒立作動時の被噴射内容物の流入通路部がハウジングの噴射用ガス充填用通路部のいわば真下部分に配設されてしまう、ことが生じえる。
【先行技術文献】
【特許文献】
【０００８】
【特許文献１】実開平５４−２１２１１号公報
【発明の概要】
【発明が解決しようとする課題】
【０００９】
このように、従来の正倒立バルブ機構では、ハウジングに形成された噴射用ガス高速充填用の上下方向貫通部と、倒立作動時に被噴射内容物が流入する上開口通路部とのハウジング周方向における位置関係が何ら考慮されていない。
【００１０】
そのため、ハウジングの噴射用ガス高速充填用の上下方向貫通部の真下部分やその近くに、倒立作動時の被噴射内容物流入用の上開口通路部が位置する場合には、当該上下方向貫通部からエアゾール容器内部に流入する噴射用ガスが当該上開口通路部にぶつかってその強流状態が弱められるという問題点があった。
【００１１】
このとき、本来は、被噴射内容物が噴射用ガス（例えば炭酸ガス）で強く攪拌されることにより、当該噴射用ガスが当該被噴射内容物に効率的に溶け込んでエアゾール容器の内圧の上昇を防止する、といった攪拌作用の程度も小さくなる。
【００１２】
また、上述の上開口通路部の位置においては、ハウジングの上下方向貫通部からの強い噴射用ガスが当該上開口通路部に流入する。
【００１３】
そのため、多量の被噴射内容物が当該上開口通路部に流入して詰まりやすい、特にその内部などに設けられているボール弁の近くに詰まりやすいという問題点があった。
【００１４】
そこで本発明では、倒立作動時の被噴射内容物流入用の上開口通路部（後述のアタッチメントの上方上流側通路部）を、ハウジングの噴射用ガス高速充填用の上下方向貫通部の真下部分から当該ハウジングの周方向にずれた部分に配設している。
【００１５】
また、この配設状態を簡単，確実に設定するため、上述の上開口通路部が形成されたアタッチメントとガス高速充填用の上下方向貫通部が形成されたハウジングとに、双方の位置決め用の係止手段を備えている。
【００１６】
これらにより、
(11)ハウジングの上下方向貫通部からエアゾール容器内部に高速充填される噴射用ガスの強流状態を確保して被噴射内容物の攪拌作用の効率化を図り、
(12)粉状被噴射内容物などが、倒立作動時の被噴射内容物の流入通路部に送りこまれてその中のボール弁の近くなどに詰まることの阻止化を図り、
(13)上開口流入通路部（アタッチメントの上方上流側通路部）を、ハウジングの噴射用ガス高速充填用の上下方向貫通部の真下部分から当該ハウジングの周方向にずれた部分に、配設する作業の効率化を図る、
ことを目的とする。
【課題を解決するための手段】
【００１７】
本発明は、以上の課題を次の正倒立バルブ機構を用いて解決する。
（１）噴射操作に連動して弁作用を呈するステム（例えば後述のステム２）が配設される筒状のハウジング（例えば後述のハウジング４）の下側筒状部（例えば後述の下側筒状部４ｂ）に、エアゾール式製品の正立作動および倒立作動のそれぞれに対応する筒状のアタッチメント（例えば後述のアタッチメント６）を取り付け、当該ハウジングに形成した上下方向貫通部（例えば後述の縦スリット状部４ｃ）からエアゾール容器内部に噴射用ガスが充填される正倒立バルブ機構において、
前記アタッチメントは、
前記下側筒状部に取り付けられる筒状の下流側通路部（例えば後述の下流側通路部６ａ）と、
前記ハウジングへ取り付けたときにその径方向外側に広がる態様で上方に形成されて、当該下流側通路部に連通し、かつ、正立作動時には閉じて倒立作動時には開く態様の弁部材（例えば後述のボール弁７）が内部空間域に設けられた上方上流側通路部（例えば後述の上方上流側通路部６ｂ）と、
当該上方上流側通路の下方に形成されて、当該下流側通路部に連通する下方上流側通路部（例えば後述の下方上流側通路部６ｃ）と、を備え、
前記ハウジングおよび前記アタッチメントは、
前記上方上流側通路部が、前記上下方向貫通部の真下部分から当該ハウジングの周方向にずれた部分に位置するように取り付けられている、
噴射用ガス充填対応の正倒立バルブ機構を用いる。
（２）上記（１）において、
前記弁部材は、
ボール弁であり、
前記上方上流側通路部は、
前記筒状の下流側通路部の外周面に一体化され、下端側部分が当該下流側通路部に連通する上方筒状部であり、
前記下方上流側通路部は、
前記下流側通路部および前記上方上流側通路部の下側にそれぞれと連通する態様で形成された下方筒状部である、
噴射用ガス充填対応の正倒立バルブ機構を用いる。
（３）上記（１），（２）において、
前記ハウジングおよび前記アタッチメントはそれぞれ、
前記上方上流側通路部が、前記上下方向貫通部の真下部分から当該ハウジングの周方向にずれた部分で位置決めされるための係止手段（例えば後述の凸状部４ｄ，凹状部６ｄ）を備えている、
噴射用ガス充填対応の正倒立バルブ機構を用いる。
【００１８】
本発明は、以上の構成からなる噴射用ガス充填対応の正倒立バルブ機構、およびこの正倒立バルブ機構からなるエアゾール式製品を対象としている。
【発明の効果】
【００１９】
本発明は以上の課題解決手段により、
(21)エアゾール容器内部の被噴射内容物の攪拌作用の効率化を図り、
(22)粉状被噴射内容物などが、倒立作動時の被噴射内容物の流入通路部やその中のボール弁の近くなどに詰まることの阻止化を図り、
(23)倒立作動時の被噴射内容物流入用の上開口通路部（アタッチメント）と、ハウジングの噴射用ガス高速充填用の上下方向貫通部との周方向の位置決め作業の効率化を図る、
ことができる。
【図面の簡単な説明】
【００２０】
【図１】正倒立バルブ機構を備えた、操作ボタン取外し状態のエアゾール容器への噴射用ガスの充填モードを示す説明図である。
【図２】図１の噴射用ガス充填後のエアゾール式製品の静止モードを示す説明図である。
【図３】図２のエアゾール式製品の正立作動モードを示す説明図である。
【図４】図２のエアゾール式製品の倒立作動モードを示す説明図である。
【発明を実施するための形態】
【００２１】
図１乃至図４を用いて本発明を実施するための形態を説明する。
【００２２】
以下のアルファベット付き参照番号の構成要素（例えば噴射口１ａ）はそれぞれ原則として、当該参照番号の数字部分の構成要素（例えば操作ボタン１）の一部であることを示している。
【００２３】
図１〜図４において、
１は押下げタイプで上下動可能な操作ボタン（操作部），
１ａは被噴射内容物の噴射口，
１ｂは噴射口１ａにいたる操作ボタン内部通路，
２は操作ボタン１と一体化された鞘状のステム，
２ａは後述のステムガスケット３との間で出力弁作用を呈する複数の横孔部，
２ｂは横孔部２ａおよび操作ボタン内部通路１ｂと連通したステム内部通路，
３は外側部分が後述のハウジング４とマウンティングキャップ１１とに挟持され、内側部分が横孔部２ａとの間で出力弁の作用を呈するステムガスケット，
をそれぞれ示している。
【００２４】
また、
４は後述のマウンティングキャップ１１に周知のクリンプ加工により係合保持されて、ステム２の下側部分を収容する筒状のハウジング，
４ａはステム２の下側部分（略横孔部２ａから下の部分）を収容するとともに、被噴射内容物貯留空間域として作用する大径の上側筒状部，
４ｂは上側筒状部４ａの下側に連続形成されて被噴射内容物流入部の作用を呈する小径の下側筒状部，
４ｃは上側筒状部４ａの上端側外周面の一箇所上下方向に形成された噴射用ガス充填用の縦スリット状部（上下方向貫通部），
４ｄは上側筒状部４ａと下側筒状部４ｂとのいわば環状横接続部の下面部分で縦スリット状部４ｃの直下相当域に形成されて、後述のアタッチメント６を取り付ける際の位置決め作用を呈する凸状部，
４ｅは上側筒状部４ａの下側内周面に複数形成され、それぞれの間に被噴射内容物通過用の溝状部が設定される縦リブＬ字状部，
５はステム２の下面段部と縦リブＬ字状４ｅの底面部分との間に配設されて当該ステムを上方向に付勢するコイルスプリング，
をそれぞれ示している。
【００２５】
また、
６はハウジング４の下側筒状部４ｂの外周面上側部分に係合されるアタッチメント，
６ａは下側筒状部４ｂに取り付けられる筒状の下流側通路部，
６ｂは下流側通路部６ａと外周面同士（一部）が連結された筒状の上方上流側通路部（上方筒状部），
６ｃは下流側通路部６ａおよび上方上流側通路部６ｂの各下端側の下方にそれぞれと連通する態様で形成された筒状の下方上流側通路部（下方筒状部），
６ｄは上方上流側通路部６ｂとは周方向反対側となる下流側通路部６ａの上端部分に形成されて、ハウジング４の凸状部４ｄと係合する凹状部， 
６ｅは下流側通路部６ａおよび上方上流側通路部６ｂそれぞれの下端側の間に形成された貫通部，
６ｆは上方上流側通路部６ｂの内周面の略上下方向中間部分に形成されて、エアゾール式製品の正立時に後述のボール弁７と密接する環テーパ面状の弁座，
６ｇは上方上流側通路部６ｂの内周面上端側部分の例えば径方向対向位置に、それぞれ上下方向の上り傾斜面とこれに続く下り傾斜面とからなる態様で形成されて、エアゾール式製品の倒立時に後述のボール弁７を保持する係止作用部，
をそれぞれ示している。
【００２６】
また、
７は上方上流側通路部６ｂの上側部分の内径よりも小さな直径からなり、エアゾール式製品の正立時には弁座６ｆと密接（当接）して倒立時には係止作用部６ｇに保持されるボール弁，
８は下方上流側通路部６ｃに取り付けられた被噴射内容物流入用のディップチューブ，
９はステムガスケット３を挟み込む形でハウジング４を係合保持するマウンティングキャップ，
１０は上端側のビード部にマウンティングキャップ９が周知のクリンチ加工により取り付けられて、内部空間域に被噴射内容物および噴射用ガスが収容されるエアゾール容器，
をそれぞれ示している。
【００２７】
また、
Ａ１はハウジング４の外部空間域を経てエアゾール容器内部に充填される噴射用ガスの高速充填流（図１参照）
Ａ２はハウジング４の内部空間域を経てエアゾール容器内部に充填される噴射用ガスの低速充填流（図１参照）
Ｂはエアゾール式製品の正立作動時における被噴射内容物の流れ（図３参照），
Ｃはエアゾール式製品の倒立作動時における被噴射内容物の流れ（図４参照），
をそれぞれ示している。
【００２８】
ここで、操作ボタン１，ステム２，ハウジング４，アタッチメント６およびディップチューブ８は、ポリプロピレン，ポリエチレン，ポリアセタール，ナイロン，ポリブチレンテレフタレートなどの合成樹脂製のものである。
【００２９】
ステムガスケット３はゴム製や合成樹脂製のものである。コイルスプリング５およびボール弁７は金属製や合成樹脂製のものであり、また、マウンティングキャップ９およびエアゾール容器１０は金属製のものである。
【００３０】
図示のアタッチメント付き正倒立バルブ機構の基本的特徴は、
(31)もともとハウジング４の縦スリット状部４ｃからいわば略真下方向に流出する噴射用ガスの高速充填流Ａ１の強さが、倒立作動に必要なアタッチメント６を当該ハウジングに取り付けたことによって阻害されないように、
上下方向の縦スリット状部４ｃと、倒立作動時の被噴射内容物の流入部となる上方上流側通路部６ｂとの周方向位置関係を完全にずらし、
(32)このずらした周方向位置関係でハウジング４とアタッチメント６とを一体化する組立作業を確実，簡単におこなえるように、
当該ハウジングには凸状部４ｄを形成し、また当該アタッチメントには当該凸状部と係合する凹状部６ｄを形成した、
ことである。
【００３１】
ハウジング４とアタッチメント６との一体化に際しては例えば、
(41)アタッチメント６の筒状の下流側通路部６ａをハウジング４の下側筒状部４ｂの外周面側に任意の周方向位置関係で挿しこみ、
(42)この挿しこみ状態のハウジング４および／またはアタッチメント６をさらに押しながら周方向へ回動し、
(43)この押しながらの回動操作により、ハウジング４の凸状部４ｄがアタッチメント６の凹状部６ｄに入り込んだ形の周方向位置決め状態に設定する。
【００３２】
上記(43)のハウジング４およびアタッチメント６の周方向位置決め状態は、下側筒状部４ｂの外周面上端側部分の環凹状部と、筒状の下流側通路部６ａの内周面上端側部分の環凸状部との係合作用により、保持される。
【００３３】
図１の充填モードにおけるエアゾール容器１０の内部空間域への噴射用ガスの流れは、概略、
(51)ハウジング４の外部空間域に関する、
「ステム２の外周面とマウンティングキャップ９の中央開口部との隙間部分−ステムガスケット３と当該中央開口部近傍のマウンティングキャップ天井面との隙間部分−ハウジング４の縦スリット状部４ｃ」経由のいわば高速充填流Ａ１と、
(52)ステム２およびハウジング４それぞれの内部空間域に関する、
「ステム内部通路２ｂ−横孔部２ａ−ステム２とステムガスケット３との隙間部分−ハウジング４の内部空間域（上側筒状部４ａ，下側筒状部４ｂ）−アタッチメント６の下流側通路部６ａ−貫通部６ｅ−下方上流側通路部６ｃ−ディップチューブ８」経由のいわば低速充填流Ａ２と、
に大別される。
【００３４】
なお、噴射用ガスは、周知の充填用アダタプター（図示省略）から、ステム２の外周面とマウンティングキャップ９の中央開口部との隙間部分、およびステム内部通路２ｂに供給される。
【００３５】
図２の静止モード（正立状態）では、操作ボタン１およびステム２がコイルスプリング５の作用により上動して図示の位置に保持されている。
【００３６】
このとき、
(61)ステム２の横孔部２ａはステムガスケット３で閉塞され、
(62)ボール弁７はその自重によってアタッチメント６の弁座に６ｆに密接し、
(63)横孔部２ａより上流側のハウジング４およびアタッチメント６の内部空間域などには被噴射内容物が充足されている。
【００３７】
図３は図２の操作ボタン１を押下げてステム２が下方に移動することにより、横孔部２ａの閉塞状態が解除された正立作動モードを示している。
【００３８】
図３のエアゾール容器１０の被噴射内容物は、矢印Ｂで示されるように「ディップチューブ８−下方上流側通路部６ｃ−貫通部６ｅ−下流側通路部６ａ−下側筒状部４ｂ−上側筒状部４ａ−横孔部２ａ−ステム内部通路２ｂ−操作ボタン内部通路１ｂ−噴射口１ａ」を経て外部空間域に噴射される。
【００３９】
図４は図２のエアゾール式製品を上下逆にした状態で、図２の操作ボタン１を押下げてステム２が移動することにより、横孔部２ａの閉塞状態が解除された倒立作動モードを示している。
【００４０】
図４の倒立作動モードでは、
(71)ボール弁７が自重で落下してアタッチメント６の係止作用部６ｂに当接することにより、当該ボール弁と上方上流側通路部６ｂの内周面との間に被噴射内容物の通過スペースが設定され、
(72)ディップチューブ８は、周知のように屈曲して、その被噴射内容物の流入側端部がエアゾール容器内部の正立上側空間域に位置し（図示省略）、
(73)エアゾール容器１０の被噴射内容物（液相分など）は、容器内部の正立時上側となるマウンティングキャップ側空間域に存在している。
【００４１】
図４のエアゾール容器１０の被噴射内容物は、矢印Ｃで示されるように、「（上方上流側通路部６ｂ）／（ディップチューブ８−下方上流側通路部６ｃ）−貫通部６ｅ−下流側通路部６ａ−下側筒状部４ｂ−上側筒状部４ａ−横孔部２ａ−ステム内部通路２ｂ−操作ボタン内部通路１ｂ−噴射口１ａ」を経て外部空間域に噴射される。
【００４２】
利用者が正立作動モードおよび倒立作動モードの操作ボタン１の押下げ操作を解除すると、ステム２およびこれと一体の当該操作ボタンは、コイルスプリング５の弾性作用により上方向へと移動して図１の静止モード位置へ復帰する。
【００４３】
なお、本発明が図示の内容に限定されないことは勿論であり例えば、
(81)ハウジング４の凸状部４ｄに代えて凹状部を形成し、アタッチメントの凹状部６ｄに代えて凸状部を形成する、
(82)ハウジング４の縦スリット状部を複数形成する、
ようにしてもよい。
【００４４】
本発明が適用されるエアゾール式製品としては、石けん，消毒剤，化粧品，乳液、洗剤，シャンプー，リンス，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４５】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５０】
高分子化合物としては、メチルセルロース，ゼラチン，デンプン，カゼイン，ヒドロキシエチルセルロース，キサンタンガム，カルボキシビニルポリマーなどを用いる。
【００５１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５２】
さらに、上記被噴射内容物以外の、懸濁剤，紫外線吸収剤，乳化剤，保湿剤，酸化防止剤、金属イオン封鎖剤なども用いることができる。
【００５３】
噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５４】
１：操作ボタン（操作部）
１ａ：噴射口
１ｂ：操作ボタン内部通路
２：ステム
２ａ：横孔部
２ｂ：ステム内部通路
３：ステムガスケット
４：ハウジング
４ａ：上側筒状部
４ｂ：下側筒状部
４ｃ：縦スリット状部
４ｄ：凸状部
４ｅ：縦リブＬ字状部
５：コイルスプリング
６：下流側通路部
６ｂ：上方上流側通路部
６ｃ：下方上流側通路部
６ｄ：凹状部 
６ｅ：貫通部
６ｆ：弁座
６ｇ：係止作用部
７：ボール弁
８：ディップチューブ
９：マウンティングキャップ
１０：エアゾール容器
Ａ１：噴射用ガスの高速充填流（図１参照）
Ａ２：噴射用ガスの低速充填流（図１参照）
Ｂ：正立作動時における被噴射内容物の流れ（図３参照）
Ｃ：倒立作動時における被噴射内容物の流れ（図４参照）
【図１】
2014205494.tif 000003
【図２】
2014205494.tif 000004
【図３】
2014205494.tif 000005
【図４】
2014205494.tif 000006